(57)【特許請求の範囲】
【請求項１】
コイルが巻回されるコイルボビンと、前記コイルに接続されるコイル端子を有するとともに、電源コネクタが抜き差し自在な固定コネクタと、を備え、
前記コイル端子を、前記電源コネクタの抜き差し方向と平行に一致させて前記固定コネクタのケーシングに圧入固定するとともに、
前記コイルボビンに、前記コイル端子を押さえて前記ケーシングへの圧入方向と逆方向の前記コイル端子の移動を規制するリブを設け、
前記コイルボビンには、前記固定コネクタ側に開口する中空箱状のコイル端子収容部が形成されており、当該コイル端子収容部内に前記リブが設けられており、
前記コイル端子は、当該コイル端子を前記ケーシングに圧入固定した状態で、前記ケーシングへの圧入方向と逆方向に突出しており、
前記コイルボビンの前記固定コネクタへの取付方向が前記コイル端子の圧入方向と一致していることを特徴とするコイル装置。
【請求項２】
前記電源コネクタの抜き方向と、前記コイル端子の圧入方向とが同じになるようにしたことを特徴とする請求項１に記載のコイル装置。
【請求項３】
前記コイルボビンと前記固定コネクタとに、これらコイルボビンと固定コネクタとを合体させる係合部を設けるとともに、前記リブは、前記係合部の係合状態において前記コイル端子に接触して押さえることを特徴とする請求項１または２に記載のコイル装置。
【発明の詳細な説明】
【技術分野】
【０００１】
本発明は、コイル装置に関する。
【背景技術】
【０００２】
従来より、例えばソレノイド等に組み込まれるコイル装置として、コイルボビンの天面に、コイル端子の本体部を収容する溝部と、コイル端子のアンカー部を収容する凹部とを一体に形成したものがある（例えば、特許文献１参照）。
【０００３】
コイル端子の本体部の一端側には、電源コネクタが差し込まれる接続部（固定コネクタ）が設けられている。その一方で、他端側にはコイルボビンに巻回されるコイルの端部が係止されるヒュージング部が設けられており、電源コネクタからの電力をコイル端子を介してコイルに供給できるようになっている。
【０００４】
そして、この特許文献１では、コイルボビンの凹部に収容されたアンカー部の上から接着剤を凹部内に充填することにより、コイル端子の抜けを防止できるようにしている。
【先行技術文献】
【特許文献】
【０００５】
【特許文献１】特開２００２−２８９４２２号公報
【発明の概要】
【発明が解決しようとする課題】
【０００６】
ところで、上記従来技術にあっては、コイル端子のコイルボビンへの圧入方向と、電源コネクタの接続部（固定コネクタ）への抜き差し方向とが平行に一致していることになる。この場合、電源コネクタを接続部へ繰り返し抜き差ししたとしてもコイル端子が容易に抜けてしまわないように、コイル端子の保持強度を高めることが望まれる。
【０００７】
しかしながら、上記従来技術にあっては、コイル端子のアンカー部を接着剤で固定しているだけなので、コイル端子の抜け方向への保持強度が弱く、コイル端子が容易に抜けてしまう恐れがあった。
【０００８】
そこで、本発明は、コイル端子の保持強度を高めてコイル端子の圧入方向と電源コネクタの抜き差し方向とを平行に一致させた場合にもコイル端子を抜け難くすることのできるコイル装置を得ることを目的とする。
【課題を解決するための手段】
【０００９】
上記目的を達成するために、本発明の第１の特徴は、コイルが巻回されるコイルボビンと、前記コイルに接続されるコイル端子を有するとともに、電源コネクタが抜き差し自在な固定コネクタと、を備え、前記コイル端子を、前記電源コネクタの抜き差し方向と平行に一致させて前記固定コネクタのケーシングに圧入固定するとともに、前記コイルボビンに、前記コイル端子を押さえて前記ケーシングへの圧入方向と逆方向の前記コイル端子の移動を規制するリブを設け、前記コイルボビンには、前記固定コネクタ側に開口する中空箱状のコイル端子収容部が形成されており、当該コイル端子収容部内に前記リブが設けられており、前記コイル端子は、当該コイル端子を前記ケーシングに圧入固定した状態で、前記ケーシングへの圧入方向と逆方向に突出しており、前記コイルボビンの前記固定コネクタへの取付方向が前記コイル端子の圧入方向と一致していることを要旨とする。
【００１０】
第２の特徴は、前記電源コネクタの抜き方向と、前記コイル端子の圧入方向とが同じになるようにしたことを要旨とする。
【００１１】
第３の特徴は、前記コイルボビンと前記固定コネクタとに、これらコイルボビンと固定コネクタとを合体させる係合部を設けるとともに、前記リブは、前記係合部の係合状態において前記コイル端子に接触して押さえることを要旨とする。
【発明の効果】
【００１２】
本発明によれば、コイル端子を電源コネクタの抜き差し方向と平行に一致させて固定コネクタのケーシングに圧入固定するとともに、コイルボビンにコイル端子を押さえてケーシングへの圧入方向と逆方向のコイル端子の移動を規制するリブを設けている。そのため、コイル端子の抜け方向にはコイルボビンのリブが介在することとなり、コイル端子が抜け方向に移動しようとした場合に、コイルボビンのリブによってコイル端子を押さえて移動を規制することができるようになる。よって、従来の接着剤と比べてコイル端子の抜け方向への保持強度を高めることができ、コイル端子の圧入方向と電源コネクタの抜き差し方向とを平行に一致させた場合にもコイル端子を抜け難くすることができる。
【図面の簡単な説明】
【００１３】
【図１】本発明の一実施形態にかかるコイルボビンを示した図であって、（ａ）は斜視図、（ｂ）は（ａ）のコイル端子収容部の開口を覗いた図である。
【図２】本発明の一実施形態にかかるコネクタを示した斜視図である。
【図３】本発明の一実施形態にかかるコイル装置を示した斜視図である。
【図４】図３のＡ−Ａ断面図である。
【発明を実施するための形態】
【００１４】
以下、本発明の実施形態について図面を参照しつつ詳細に説明する。
【００１５】
本実施形態のコイル装置Ｃは、例えばソレノイド等に組み込まれるものである。コイル装置Ｃは、図１〜図３に示すように、コイル１１が巻回されるコイルボビン１と、コイル１１に接続されるコイル端子２を有するとともに、電源コネクタ（図示せぬ）が抜き差し自在な固定コネクタ３とを備えている。
【００１６】
コイルボビン１は、合成樹脂などの電気絶縁材料により形成されており、円筒状の胴部１２の外周にコイル１１が巻回されるようになっている。また、胴部１２には、上端部に鍔状のボビンフランジ１３が一体に設けられているとともに、下端部にはコイル端子収容部１４が一体に設けられている。
【００１７】
コイル端子収容部１４は、略矩形状の上壁部１４ａと、この上壁部１４ａの外周に立設された側壁部１４ｂとを備えており、固定コネクタ３側が開放された中空箱型に形成されている。上壁部１４ａには、図示せぬ開口部が形成されており、この開口部を介してコイル１１の端部を後述するコイル端子２の接続片２ｂに固定して接続できるようになっている。
【００１８】
固定コネクタ３は、電源コネクタ（図示せぬ）が抜き差しされる接続口６が形成されるケーシング４と、このケーシング４に圧入固定されるコイル端子２とを備えている。
【００１９】
コイル端子２は、本実施形態では、コイル端子２の一端側（下端側）に設けられてケーシング４に圧入される接続ターミナル２ａと、コイル端子２の他端側（上端側）に設けられてコイル１１の端部が係止される接続片２ｂとを備えている。
【００２０】
図２に示すように、本実施形態では、４つ（複数）のコイル端子２が用いられており、この４つのコイル端子２がケーシング４の長手方向（図２の左斜上方向）に並設されている。コイル端子２の接続片２ｂは、接続ターミナル２ａがケーシング４に圧入固定された状態において、ケーシング４の上壁部４ａから上方に突出するようになっている。
【００２１】
ここで、本実施形態では、電源コネクタ（図示せぬ）の接続口６への抜き差し方向とコイル端子２のケーシング４への圧入方向とを平行に一致させている。具体的には、本実施形態では、これら抜き差し方向と圧入方向とを、コイルボビン１の胴部１２の延在方向となる上下方向（図３の上下方向）に沿って平行に一致させている。
【００２２】
そして、本実施形態では、コイルボビン１にコイル端子２を押さえてケーシング４への圧入方向と逆方向のコイル端子２の移動を規制するリブ１５を設けている。
【００２３】
具体的には、本実施形態では、コイル端子２をケーシング４の上壁部４ａから下側（接続口６側）に向けて圧入するとともに、そのコイル端子２の圧入方向と電源コネクタ（図示せぬ）の接続口６からの抜き去り方向とが同じになるようにしている。そして、図１（ｂ）に示すように、コイルボビン１のコイル端子収容部１４における開放側の上壁部１４ａ（上壁部１４ａの裏面）に、リブ１５を突設している。したがって、コイルボビン１のリブ１５は、コイル端子２の圧入方向と逆方向となるケーシング４の上側に対向して配置されることになる。
【００２４】
このように、本実施形態では、コイル端子２の抜け方向にリブ１５が設けられたコイルボビン１のコイル端子収容部１４を対向させることで、コイルボビン１全体でコイル端子２を押さえつけることができるようにしている。
【００２５】
また、本実施形態では、コイルボビン１と固定コネクタ３とに、これらコイルボビン１と固定コネクタ３とを合体させる係合部７を設けている。そして、図４に示すように、上述したリブ１５は、その係合部７の一方と他方とが係合した状態において、コイル端子２に接触してコイル端子２を押さえつけるようになっている。
【００２６】
係合部７は、本実施形態では、固定コネクタ３側のケーシング４に突設された係止爪５と、コイルボビン１側のコイル端子収容部１４に設けられた係止穴１７とで構成されている。そして、係止爪５がケーシング４の長手方向一端部と他端部とに１つずつ設けられているとともに、係止穴１７がそれと対向するコイル端子収容部１４の長手方向一端側の側壁部１４ｂと他端側の側壁部１４ｂとに１つずつ形成されている。
【００２７】
このような構成の本実施形態のコイル装置Ｃにあっては、ケーシング４に突設された一対の係止爪５を、コイル端子収容部１４に形成された一対の係止穴１７に係合させることにより、固定コネクタ３とコイルボビン１とが合体して組み付けられる。そして、電源コネクタ（図示せぬ）を固定コネクタ３の接続口６に差し込むことにより、電力がコイル端子２を介してコイル１１に供給されることになる。
【００２８】
このとき、本実施形態では、電源コネクタ（図示せぬ）の接続口６からの抜き去り方向と、コイル端子２のケーシング４への圧入方向とが同じになるようにしている。そのため、電源コネクタ（図示せぬ）の抜き去り時に、コイル端子２が電源コネクタ（図示せぬ）と一緒に引っこ抜かれてしまうのを防止することができる。そして、電源コネクタ（図示せぬ）の差し込み時にコイル端子２が押されて抜けてしまう恐れがあるが、そのコイル端子２の抜け方向にはコイルボビン１のリブ１５と、コイルボビン１と固定コネクタ３とを合体させる係合部７とが対向して配置されている。そのため、コイル端子２の抜け方向への保持強度が高まり、コイル端子２をより抜け難くすることができる。
【００２９】
以上により、本実施形態では、コイル端子２を電源コネクタ（図示せぬ）の抜き差し方向と平行に一致させて固定コネクタ３のケーシング４に圧入固定している。その一方で、コイルボビン１にコイル端子２を押さえてケーシング４への圧入方向と逆方向のコイル端子２の移動を規制するリブ１５を設けている。そのため、コイル端子２の抜け方向にはコイルボビン１のリブ１５が介在することとなり、コイル端子２が抜け方向に移動しようとした場合に、コイルボビン１のリブ１５によってコイル端子２を押さえて移動を規制することができるようになる。よって、従来の接着剤と比べてコイル端子２の抜け方向への保持強度を高めることができ、コイル端子２の圧入方向と電源コネクタ（図示せぬ）の抜き差し方向とを平行に一致させた場合にもコイル端子２を抜け難くすることができる。
【００３０】
また、本実施形態では、電源コネクタ（図示せぬ）の接続口６からの抜き去り方向と、コイル端子２のケーシング４への圧入方向とが同じになるようにしている。そのため、コイル端子２の抜け方向への保持を、リブ１５を含めたコイルボビン１全体で行い易くなり、コイル端子２の保持強度をより高めることができる。すなわち、電源コネクタの抜き方向とコイル端子２の圧入方向とを異ならせた場合には、コイルボビン１が嵩張るため、リブ１５をコイルボビン１から部分的に突設してコイル端子２の抜け方向への保持を、リブ１５単体で行わせなければならない恐れがある。これに対し、本実施形態では、電源コネクタの抜き方向とコイル端子２の圧入方向とを同じにしたので、コイル端子２の抜け方向にリブ１５を含めたコイルボビン１全体を配置し易くでき、コイル端子２の保持をコイルボビン１全体で行い易くすることができる。
【００３１】
さらにまた、本実施形態では、コイルボビン１と固定コネクタ３とに、これらコイルボビン１と固定コネクタ３とを合体させる係合部７を設けるとともに、リブ１５がその係合部７の係合状態においてコイル端子２に接触して押さえるようにしている。そのため、コイル端子２の抜け方向への移動をリブ１５に加えて係合部７で押さえることができるようになり、コイル端子２の抜け方向への保持強度をより一層高めて、コイル端子２をより抜けに難くすることができる。
【００３２】
以上、本発明の好適な実施形態について説明したが、本発明は上記実施形態には限定されず、種々の変形が可能である。
【００３３】
例えば、上記実施形態では、係合部として固定コネクタ側に係止爪を設けるとともに、コイルボビン側に係止穴を設けたものを例示したが、固定コネクタ側に係止穴を設けるとともに、コイルボビン側に係止爪を設けるようにしてもよい。
【００３４】
また、係合部は、係止爪と係止穴とを係合させる構造に限らず、例えば係止爪を凹部や凸部に係合させる構造など適宜に変更可能である。
【００３５】
また、コイルボビンやコイル端子、その他細部のスペック（形状、大きさ、レイアウト等）も適宜に変更可能である。
【符号の説明】
【００３６】
１    コイルボビン
２    コイル端子
３    固定コネクタ
４    ケーシング
７    係合部
１１  コイル
１５  リブ
Ｃ    コイル装置
【図１】
0006032392.tif 000002
【図２】
0006032392.tif 000003
【図３】
0006032392.tif 000004
【図４】
0006032392.tif 000005